(57)【要約】  周辺に配置される少なくとも１つのガイド要素（１４０）と、周辺に配置される少なくとも１つの切断挿入体（１５０）とを備えたボーリングヘッド（１００）において、ガイド要素（１４０）も少なくとも１つの切断挿入体（１５０）もカセット（２００、２０５）により支持され、カセットは溝（１６０、１６５）内で移動可能に案内され、ボーリングヘッドハウジング（１１０）の周辺を越え、少なくとも１つのガイド要素（１４０）の突出でも、少なくとも１つの切断挿入体（１５０）での突出でも、共通の調整および調節のための調整手段（４００、４１０、４６０、４７０）が設けられ、調整手段は、少なくとも１つのガイド要素（１４０）または少なくとも１つの切断挿入体（１５０）と離れたカセット（２００、２０５）の側でカセット（２００、２０５）に当たり、周辺方向への調整手段の形状は、同時にボーリングヘッド（１００）での調整手段（４００、４１０、４６０、４７０）の固定により、ガイド要素（１４０）および少なくとも１つの切断挿入体（１５０）の突出の調整および調節が行われるように、ボーリングヘッド（１００）の対称軸線からのカセット（２００、２０５）の半径方向の距離に適合されることを特徴とする前記ボーリングヘッド。【選択図】図４
2007506563.tif 000002
【特許請求の範囲】
【請求項１】
周辺に配置される少なくとも１つのガイド要素（１４０）と、周辺に配置される少なくとも１つの切断挿入体（１５０）とを備えたボーリングヘッド（１００）において、ガイド要素（１４０）も少なくとも１つの切断挿入体（１５０）もカセット（２００、２０５）により支持され、カセットは溝（１６０、１６５）内で移動可能に案内され、ボーリングヘッドハウジング（１１０）の周辺を越え、少なくとも１つのガイド要素（１４０）の突出でも、少なくとも１つの切断挿入体（１５０）での突出でも、共通の調整および調節のための調整手段（４００、４１０、４６０、４７０）が設けられ、調整手段は、少なくとも１つのガイド要素（１４０）または少なくとも１つの切断挿入体（１５０）と離れたカセット（２００、２０５）の側でカセット（２００、２０５）に当たり、周辺方向への調整手段の形状は、同時にボーリングヘッド（１００）での調整手段（４００、４１０、４６０、４７０）の固定により、ガイド要素（１４０）および少なくとも１つの切断挿入体（１５０）の突出の調整および調節が行われるように、ボーリングヘッド（１００）の対称軸線からのカセット（２００、２０５）の半径方向の距離に適合されることを特徴とする前記ボーリングヘッド。
【請求項２】
調整手段（４００、４１０、４６０、４７０）はボーリングヘッド（１００）の前面に固定できることを特徴とする請求項１に記載のボーリングヘッド。
【請求項３】
調整手段はボーリングヘッド軸線に対して中央で実質的に同心に配置されることを特徴とする請求項１または請求項２に記載のボーリングヘッド。
【請求項４】
調整手段はボーリングヘッド軸線に対して偏心して配置されることを特徴とする請求項１または請求項２に記載のボーリングヘッド。
【請求項５】
調整手段の外周を限定する面は、任意の形状も非対称の外形も有することを特徴とする請求項１乃至請求項４の内の1項に記載のボーリングヘッド。
【請求項６】
調整手段は軸線方向で円筒に構成されることを特徴とする請求項１乃至請求項５の内の1項に記載のボーリングヘッド。
【請求項７】
調整手段は円板状の外形を有することを特徴とする請求項１乃至請求項６の内の1項に記載のボーリングヘッド。
【請求項８】
調整手段は円形板状の外形（４６０、４７０）を有することを特徴とする請求項７に記載のボーリングヘッド。
【請求項９】
調整手段は環状の外形を有することを特徴とする請求項１乃至請求項６の内の1項に記載のボーリングヘッド。
【請求項１０】
調整手段は円形環状の外形（４００、４１０）を有することを特徴とする請求項９に記載のボーリングヘッド。
【請求項１１】
調整手段は軸線方向で円錐形の外形を有することを特徴とする請求項１乃至請求項６の内の1項に記載のボーリングヘッド。
【請求項１２】
調整手段は軸線方向で移動可能に配置されることを特徴とする請求項１１に記載のボーリングヘッド。
【請求項１３】
カセット（２００、２０５）は調整および調節後に解放可能な固定要素、特に、ネジ（２１０）によりロックできることを特徴とする請求項１乃至請求項１２の内の1項に記載のボーリングヘッド。
【請求項１４】
少なくとも１つの切断挿入体（１５０）を支持する少なくとも１つのカセット（２０５）は削り屑排出通路（２３０）を備え、削り屑排出通路は、少なくとも１つのカセット（２０５）の固定状態でも移動状態でも、ボーリングヘッド（１００）の内部に配置される削り屑排出通路（１１７）と連結されることを特徴とする請求項１乃至請求項１３の内の1項に記載のボーリングヘッド。
【請求項１５】
ボーリングヘッド（１００）の外周には緩衝ガイドレール（３００、３３０）が配置され、ボーリングヘッドハウジング（１１０）の周辺を越える緩衝ガイドレールの半径方向の延長部は、ガイド要素（１４０）の突出に適合され、並びに、ボーリングヘッドハウジング（１１０）の周辺を越える少なくとも１つの切断挿入体（１５０）の突出に適合されることを特徴とする請求項１乃至請求項１４の内の1項に記載のボーリングヘッド。
【請求項１６】
ボーリングヘッド（１００）は前面で調整手段（４００、４１０、４６０、４７０）およびカセット（２００、２０５）を少なくとも部分的にカバーするカバーを有することを特徴とする請求項１乃至請求項１５の内の1項に記載のボーリングヘッド。
【発明の詳細な説明】
【技術分野】
【０００１】
本発明は、ボーリングヘッドの周辺に配置された多数のガイド要素と、ボーリングヘッドの周辺に配置された少なくとも１つの切断挿入体とを備えたボーリングヘッドに関し、ガイド要素も切断挿入体も、溝内で本質的に半径方向へ移動可能に案内されるカセットにより支持される。
【背景技術】
【０００２】
ボーリングヘッドの周辺に配置され、ボーリングヘッド体の前面から突出する多縁切断板と、ボーリングヘッド体周辺を越えて半径方向へ突出する少なくとも１つのガイドレール、または、切断板との間、または、切断板の間の中間室の水準にあるガイドシューとを備えたマルチプル切断ボーリングヘッドは、ドイツ国特許公開公報第２８５２２９８号に開示され、ボーリングヘッド体の周辺での２つの多縁切断板との間およびボーリングヘッド体の前面を越えて突出して、それ自体周知である円形の切断板が配置され、切断板のそれぞれの切断周辺部分は、多縁切断板の切断部分の後で軸方向へずれており、丸い切断板の軸方向の水準、または、ほぼ軸方向の水準でガイドシューが配置される。
【０００３】
少なくとも１つが運動する１以上の刃を備えたボーリングヘッドは、ドイツ国特許公開公報第４２２７７３０号に開示されている。このボーリングヘッドでは、刃はボーリングヘッドのポケットに適合するカセット内に配置される。少なくとも１つのカセットはキーを備えた引きロッドまたは引きロッドを介して半径方向へ運動する。さらに、このボーリングヘッドでは、少なくとも2本の半径方向に配置される緩衝ガイドレールの同様に半径方向へ運動する配置を設けることができる。
【０００４】
この種のボーリングヘッドでは、ボーリング直径、すなわち、ボーリングヘッドの周辺を越える切断挿入体の突出もガイド要素の突出も、それぞれ、その都度、個々のカセットの別々の調整により実行され、前記の引きロッドまたは引きロッドと並んで、例えば、ボーリングヘッドの周辺と離れたカセット側に嵌め込まれ軸方向へ移動するキーまたは実質的に長方体状に構成される離間要素が、ボーリング直径の調整のために使用される。
【０００５】
そのような調整は非常に大きい時間の浪費を必要とし、さらに、欠点が多い。
【特許文献１】ドイツ国特許公開公報第２８５２２９８号
【特許文献２】ドイツ国特許公開公報第４２２７７３０号
【発明の開示】
【発明が解決しようとする課題】
【０００６】
それで、本発明の課題は、わずかな技術費用と、わずかな時間の浪費により、ガイド要素を支持するカセットでも切断挿入体を支持するカセットでも正確な調整ができるようにして、最初に述べた種類のボーリングヘッドを再現することである。
【課題を解決するための手段】
【０００７】
この課題は、この種のボーリングヘッドにおいて、ボーリングヘッド直径、つまり、ボーリングヘッドの周辺を越えるガイド要素の突出の調整および調節のため、また、少なくとも１つの切断挿入体の突出の調整および調節のために、単一の調整手段が設けられ、単一の調整手段は、それぞれ、ガイドレールおよび少なくとも１つの切断挿入体と離れたカセットの側に当たり、ボーリングヘッドの周辺を越えるガイド要素および少なくとも１つの切断挿入体の突出の調整および調節が、調整手段の固定によりボーリングヘッドで同時に行われるように調整手段の外形が周辺方向でカセットに適合されることにより解決される。
【０００８】
本発明の基本的な着想は、ボーリング直径の調整、すなわち、ガイド要素の突出の調整も少なくとも１つの切断挿入体の突出の調整も、単一の調整手段により同時に行われることであり、その際、調整や調節が、この調整手段の固定によりボーリングヘッドで同時に行われる。これにより、非常に有利な仕方により、ガイドレールを支持するカセットも少なくとも１つの切断挿入体を支持するカセットも別々に調整する必要がない。さらに、１つだけの調整手段により、別々に、それぞれ各カセットに付設される技術水準のよる調整手段を備えた個々のカセットのそれぞれ別々の調整よりも、実質的に高度な精度による調整ができる。単一の調整手段だけを固定し、調整が予めの固定により与えられるので、繰り返しの調整の場合に生じることがある誤りは全く起こることがない。
【０００９】
特に、調整手段はボーリングヘッドの前面に固定できる。ボーリングヘッドの前面の容易な接近可能性により、それにより、迅速で容易に実施できる固定および調整が可能となる。
【００１０】
特に、調整手段はボーリングヘッド軸線に対して中央で、実質的に同心に配置される。しかし、別の実施例では、調整手段をボーリングヘッド軸線に対して偏心して配置して設けることもできる。
【００１１】
純粋な原理では、調整手段は任意の外形、特に、非対称な外形とすることができ、このことは、例えば、カセットの異なる寸法に基づきカセットの異なる調整過程で調整しなければならない時に望ましいものである。
【００１２】
調整手段は軸線方向で円筒に構成されると都合がよい。これは、特に非常に簡単な製造を可能とする。
【００１３】
その際、有利な実施例では、調整手段は平坦な円板状の外形を有して設けられる。
【００１４】
他の実施例では、調整手段は環状の外形を有する。環状の外形は、ボーリングヘッド内での調心ボーリングの配置を特に有利に行うことができる。
【００１５】
有利な実施例では、円板状の調整手段は円形板状に構成され、環状の調整手段は円形環状に構成されて設けられる。円形環状の構成または円形板状の構成は、特に、回転部分として迅速で、簡単で同時に非常に正確な製造の観点で非常に都合がよい。
【００１６】
さらに、調整手段は円錐状の外形を有することができ、調整手段は、特に、軸線方向に配置される。このことは、軸線方向での円錐状の調整手段の移動だけにより、ボーリング直径の迅速な変更を可能とする。
【００１７】
特に、カセットは解放可能な固定要素、特に、ネジによる調整および調節後にロックできる。
【００１８】
ボーリング工程で生じる削り屑を問題なく排出するために、少なくとも１つの切断挿入体を支持する少なくとも１つのカセットは、削り屑排出通路を有し、削り屑排出通路は、カセットの固定状態でも移動状態でもボーリングヘッドの内部に配置される削り屑排出通路と連結されるように設けられる。これにより、異なって調整されるボーリングヘッドの直径の場合に最適な削る屑排出が確保される。
【００１９】
さらに、ボーリングヘッドは、特に、その周辺に緩衝ガイドレールを有し、その半径方向膨張は、ガイド要素の調整可能な突出にも切断挿入体の突出にも適合し、それで、ボーリング直径にも適合する。
【００２０】
調整手段およびカセットの保護のため、有利な実施例では、ボーリングヘッドの前面に調整手段およびカセットを少なくとも部分的にカバーするカバーが固定して設けられる。
【００２１】
本発明の別の長所および特徴は、次の詳細な説明並びに実施例の図面の表示の対象である。
【実施例１】
【００２２】
図１乃至図６で図示され、全体として１００の番号を付されて中空に構成されるボーリングヘッドは、周辺に配置される多数のガイド要素１４０と、同様に周辺に配置される切断挿入体１５０とを備えた実質的に円筒のハウジング１１０を有する。ガイド要素１４０も切断挿入体１５０も、カセット２００、２０５により支持され、カセットはボーリングヘッド１００の前面に配置される溝１６０、１６５内において、実質的にボーリングヘッド１００の半径方向内で移動可能に案内される。次に、なお詳細に説明するカセット２００、２０５の移動後、例えば、カセットハウジング内に構成される長穴２０２内に配置されるネジ２１０により、カセットは移動位置でロックされる。このロックは、ボーリングヘッド１００の前面に向く側において、ネジ２１０の頭部により長穴２０２内で揺動する突出部２０３によって、カセット２００、２０５の堅締めにより行われる。
【００２３】
さらに、ボーリングヘッド１００の案内のためにハウジング１１０の周辺に緩衝ガイドレール３００が設けられ、緩衝ガイドレールはボーリングヘッド１００の軸線と平行に延び、ボーリングヘッド１００のハウジング１１０を越える半径方向の突出はボーリング直径に適合し、それで、切断挿入体１５０の半径方向の突出にもガイド要素１４０の半径方向の突出にも適合される。これらの緩衝ガイドレールまたはガイドレール３００は、加工する加工品の材料より弱い材料からなり、それらは、例えば、ネジ３１０によりハウジング１００に解放可能に固定される。
【００２４】
今度はボーリング直径の調整および調節のため、ネジ２１０が緩められ、カセット２００、２０５はガイド溝１６０、１６５内で移動可能となる。それから、例えば、円形リング４００の外形を有する調整手段が、ボーリングヘッド１００に対して前面で同軸に配置される。その際、カセット２００、２０５の設置後、ガイドレール１４０または切断挿入体１５０と離れた側で円形リング４００において、ボーリング直径の正確な調整が保証されるように、円形リング４００の外径は決定される。換言すると、カセットが円形リングの外面に当たるまで、カセット２００、２０５は円形リング４００へ向く半径方向だけの調整および調節のために移動される。
調整後、カセットの位置はネジ２１０により前記の仕方により確保され、それにより、ボーリング直径は確定される。
【００２５】
ボーリング直径の調整後、ガイドレール３００はネジ３１０によりボーリングヘッドのハウジング１１０に固定され、その際、ガイドレール３００の厚さは半径方向でボーリング直径に適合される。
【００２６】
特に、図３から明らかなように、ボーリングヘッド１００は、その前面と離れた後側において内ネジ１１５を備え、内ネジによりボーリングヘッドは、特に、ボーリング管に固定できる。
【００２７】
切断挿入体１５０もガイド要素１４０も、例えば、ネジ１４５、１５５により、切断挿入体とガイド要素に付設されるカセット２００および２０５に解放可能に固定される。
【００２８】
切断挿入体１５０を支持するカセット２０５は、削り屑排出通路２３０を備え、削り屑排出通路はハウジング１１０内に設けた削り屑排出通路１１７と整合する。このようにして、ボーリング工程の際に生じる削り屑の排出は中空に構成されたボーリングヘッド１００を通過できる。
【実施例２】
【００２９】
図４乃至図６で示されるボーリングヘッド１００は、大きいボーリング直径の調整を可能とする大きい直径の調整手段４１０によってのみ、図1乃至図3で示されるボーリングヘッド１００と相違する。この調整手段４１０も円板状の外形を備える。
【００３０】
図７および図８では、異なる調整手段４００、４１０と、ガイド要素１４０および切断挿入体１５０を支持するカセット２００、２０５とに基づく両方の異なる調整であり、し、ボーリングヘッド１００および、その構成要素が省略して示される。調整要素４００、４１０の円板状構成により、ボーリングヘッド１００内での調心ボーリングの配置を都合よく可能にする（図示せず）。調整手段４００、４１０は図３乃至図６で示されるのと同様にネジ４０５により固定される。
【００３１】
さらに、図４乃至図６から明らかなように、変更されるボーリング直径の調整および、それで、ガイド要素１４０の変更調整の場合、別の緩衝ガイドレール３３０が設置され、ボーリングヘッドハウジング１１０を越える緩衝ガイドレールの半径方向の突出は大きいボーリング直径に適合される。
【実施例３】
【００３２】
図９および図１０において、ボーリング直径の調整にとって重要なボーリングヘッド１００の部分の変更実施例は、ボーリングヘッド１００および、その構成要素が省略して概要で図示され、カセット２００、２０５の調整は異なる直径の円板状調整要素４６０、４７０により行われ、それらは、図1乃至図８で示される円板環状の調整要素４００、４０１に対して変更して使用できる。
【００３３】
さらに、内ネジ１１５によるボーリングヘッド１００の接続（図１乃至図６）の代わりに、図１１および図１２で示されるような平坦連結部１１６または外ネジ１１８を設けることができ、図1乃至図１０と同様の要素は、それぞれ、図1乃至図１０と同様の参照符号で特徴付けられる。
【００３４】
前記のボーリングヘッドの大きい長所は、ガイド要素１４０を支持するカセット２００でも切断挿入体１５０を支持するカセット２０５でも同時の調整可能性にある。また、調整要素４００、４１０または４６０、４７０は、例えば、回転部分として比較的に簡単な仕方で製造できるという特別な長所があり、ボーリングヘッド２００の作動中に、例えば、ボーリング直径の変更のため、または、欠陥の場合に予備部品を高い費用をかけずに常に製造でき、その際、わずかな時間浪費と技術費用だけで調整ができる。
【００３５】
ボーリングヘッド１００の前面の保護のために、カバー円板を設けることができ、カバー円板はボーリングヘッドでのボーリング直径の調整および調節後にボーリングヘッドの前面で解放可能に固定でき（図示せず）、特に、長溝２０２内に配置されるカセットの固定ネジ２１０をカバーする。
【図面の簡単な説明】
【００３６】
【図１】本発明により使用されるボーリングヘッドを概要で示す。
【図２】図１で示すボーリングヘッドの前面での平面図を示す。
【図３】図１で示すボーリングヘッドの切断平面図を示す。
【図４】別の調製手段を使用した図１に示すボーリングヘッドを示す。
【図５】図４で示すボーリングヘッドの平面図を示す。
【図６】図４で示すボーリングヘッドの切断平面図を示す。
【図７】図１で示すボーリングヘッドの調製手段およびカセットを        概要図で示す。
【図８】図４で示すボーリングヘッドの調製手段およびカセットを        概要図で示す。
【図９】図１または図４で示すボーリングヘッドのための変更調製手段およびカセットを示す。
【図１０】図４で示すボーリングヘッドのための変更調製手段およびカセットを示す。
【図１１】平坦連結体を備えた本発明により使用されるボーリング          ヘッドの別の実施例の切断図を示す。
【図１２】外ネジを備えた本発明により使用されるボーリング          ヘッドの別の実施例の切断図を示す。
【符号の説明】
【００３７】
１００  ボーリングヘッド
１１０  ハウジング
１４０  ガイド要素
１５０  切断挿入体
１６０  溝
１６５  溝
２００  カセット
２０５  カセット
３００  緩衝ガイドレール
３３０  緩衝ガイドレール
４００  調整手段
４１０  調整手段
【図１】
2007506563.tif 000003
【図２】
2007506563.tif 000004
【図３】
2007506563.tif 000005
【図４】
2007506563.tif 000006
【図５】
2007506563.tif 000007
【図６】
2007506563.tif 000008
【図７】
2007506563.tif 000009
【図８】
2007506563.tif 000010
【図９】
2007506563.tif 000011
【図１０】
2007506563.tif 000012
【図１１】
2007506563.tif 000013
【図１２】
2007506563.tif 000014
【国際調査報告】
2007506563.tif 000015
2007506563.tif 000016
2007506563.tif 000017
2007506563.tif 000018
2007506563.tif 000019
2007506563.tif 000020